【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
無線電力送信機を制御する方法であって、
所定の強度を有する電力信号を送信し、
前記電力信号を使用して前記無線電力送信機のコイルのピーク周波数及び品質因子を測定し、
無線電力受信機の基準品質因子および基準ピーク周波数を含む基準値を受信し、
前記基準品質因子と前記測定された品質因子との比較、および、前記基準ピーク周波数と前記測定されたピーク周波数との比較に基づいて、前記無線電力送信機の充電領域に異物が存在するかどうかを決定し、
前記決定の結果を示す応答信号を送信し、
前記応答信号に基づいて、無線充電手順を続行するか停止するかを決定する、
方法。
【請求項２】
前記応答信号は、第１の応答信号および第２の応答信号を含み、かつ、
前記第１および第２の応答信号の少なくとも一方が、前記異物が前記充電領域に存在することを示す否定的な応答信号を含む場合、前記無線充電手順を停止すると決定する、
請求項１に記載の方法。
【請求項３】
前記第１および第２の応答信号が、前記基準値のすべてに応答して前記異物が前記充電領域に存在しないことを示す肯定的な応答信号を含む場合、前記無線充電手順を継続すると決定する、
請求項２に記載の方法。
【請求項４】
前記基準品質因子が、最初に、第１の異物検出状態パケットで前記無線電力受信機から受信され、その後、前記基準ピーク周波数が第２の異物検出状態パケットで前記無線電力受信機から受信される、または
前記基準ピーク周波数が、最初に、前記第１の異物検出状態パケットで前記無線電力受信機から受信され、その後、前記基準品質因子が前記第２の異物検出状態パケットで前記無線電力受信機から受信される、
請求項１に記載の方法。
【請求項５】
前記第１および第２の異物検出状態パケットは、前記基準ピーク周波数および前記基準品質因子が前記第１および第２の異物検出状態パケットに含まれるかどうかを特定するモード情報をさらに含む、
請求項４に記載の方法。
【請求項６】
前記異物が前記充電領域に存在するとき、前記電力信号の前記ピーク周波数がシフトされる、
請求項１に記載の方法。
【請求項７】
前記基準ピーク周波数は、基準無線電力送信機の動作周波数範囲内のＱファクタに対応する周波数を含む、
請求項１に記載の方法。
【請求項８】
前記基準ピーク周波数に加えて、事前設定された許容範囲に基づいて閾値周波数を決定する、ことを更に含む、
請求項３に記載の方法。
【請求項９】
前記測定されたピーク周波数が前記閾値周波数よりも大きいとき、前記応答信号は前記否定的な応答信号を含み、
前記測定されたピーク周波数が前記閾値周波数以下であるとき、前記応答信号は前記肯定的な応答信号を含む、
請求項８に記載の方法。
【請求項１０】
前記基準品質因子に加えて、事前設定された許容範囲に基づいて閾値品質因子を決定する、ことを更に含む、
請求項３に記載の方法。
【請求項１１】
前記測定された品質因子が前記閾値品質因子以下であるとき、前記応答信号は前記否定的な応答信号を含み、
前記測定された品質因子が前記閾値品質因子よりも大きいとき、前記応答信号は前記肯定的な応答信号を含む、
請求項１０に記載の方法。
【請求項１２】
所定の強度を有する電力信号を送信するように構成される少なくとも１つのコイルを含む電力送信ユニットと、
制御部と、を備え、
前記制御部は、
前記電力信号を使用して前記少なくとも１つのコイルのピーク周波数と品質因子とを測定し、
無線電力受信機の基準ピーク周波数と基準品質因子を含む基準値を受信し、
前記基準品質因子と前記測定された品質因子との比較、および、前記基準ピーク周波数と前記測定されたピーク周波数との比較に基づいて、異物が前記無線電力送信機の充電領域に存在するかどうかを決定し、
前記決定の結果を示す応答信号を送信するように前記電力送信ユニットを制御し、
前記応答信号に基づいて、無線充電手順を続行するか停止するかを決定する、ように構成される、
無線電力送信機。
【請求項１３】
前記応答信号は、第１の応答信号および第２の応答信号を含み、
前記第１および第２の応答信号の少なくとも一方が、前記異物が前記充電領域に存在することを示す否定的な応答信号を含む場合、前記制御部は、前記異物による前記無線充電手順を停止することを決定する、
請求項１２に記載の無線電力送信機。
【請求項１４】
前記第１および第２の応答信号が、前記基準値のすべてに応答して前記異物が前記充電領域に存在しないことを示す肯定的な応答信号を含む場合、前記制御部は、前記無線充電手順を継続することを決定する、
請求項１３に記載の無線電力送信機。
【請求項１５】
前記基準品質因子は、最初に、第１の異物検出状態パケットにおいて前記無線電力受信機から受信され、その後、前記基準ピーク周波数は、第２の異物検出状態パケットにおいて前記無線電力受信機から受信され、または
前記基準ピーク周波数は、最初に、前記第１の異物検出状態パケットにおいて前記無線電力受信機から受信され、その後、前記基準品質因子は、前記第２の異物検出状態パケットにおいて前記無線電力受信機から受信される、
請求項１２に記載の無線電力送信機。
【請求項１６】
前記制御部は、さらに、
前記基準ピーク周波数に加えて、事前設定された許容誤差に基づいて閾値周波数を決定するように構成される、
請求項１４に記載の無線電力送信機。
【請求項１７】
前記測定されたピーク周波数が前記閾値周波数よりも大きい場合に、前記応答信号は、前記異物が前記充電領域に存在することを示す前記否定的な応答信号を含み、
前記測定されたピーク周波数が前記閾値周波数以下である場合に、前記応答信号は、前記異物が前記充電領域に存在しないことを示す前記肯定的な応答信号を含む、
請求項１６に記載の無線電力送信機。
【請求項１８】
無線電力送信機と通信するように構成される無線通信ユニットと、
前記無線電力受信機の基準ピーク周波数および基準品質因子を含む基準値を格納するように構成されるメモリと、
制御部と、を備え、
前記制御部は、
前記基準品質因子および前記基準ピーク周波数に関する情報が前記第１および第２の異物状態パケットに含まれるかどうかを示すモード情報を含む第１および第２の異物状態パケットを生成し、
前記第１及び第２の異物状態パケットを前記無線電力送信機に送信し、
異物が前記無線電力送信機の充電領域に存在するかどうかを示す異物検出インジケータを受信する、ように構成される、
無線電力受信機。
【請求項１９】
前記制御部は、さらに、
少なくとも１つの前記異物検出インジケータが否定的な応答信号を含むとき、少なくとも１つの前記異物検出インジケータに応答して電力伝送の終了を要求するように構成される、
請求項１８に記載の無線電力受信機。
【請求項２０】
前記制御部は、さらに、
少なくとも１つの前記異物検出インジケータが否定的な応答信号を含むとき、少なくとも１つの前記異物検出インジケータに応答して後続のフェーズを進めるように要求するように構成される、
請求項１８に記載の無線電力受信機。  
【請求項２１】
前記異物検出インジケータが、前記異物が前記充電領域に存在することを示す否定的な応答信号を含む場合、前記制御部は、充電手順の終了を要求する、
請求項１８に記載の無線受電装置。
【請求項２２】
前記異物検出インジケータが、前記異物が前記充電領域に存在しないことを示す肯定的な応答信号を含む場合、前記充電手順は、前記異物のために停止されない、
請求項２１に記載の無線受電装置。
【請求項２３】
前記第１の異物検出状態パケットが最初に送信され、その後、前記第２の異物検出状態パケットが送信され、または、
前記第２の異物検出状態パケットが最初に送信され、その後、前記第１の異物検出状態パケットが送信される、
請求項１８に記載の無線電力受信機。
【請求項２４】
前記異物検出インジケータは、前記第１および第２の異物状態パケットに基づいて決定される、
請求項１８に記載の無線電力受信機。
【請求項２５】
前記無線電力送信機によって送信される電力信号の測定されたピーク周波数が閾値周波数よりも大きい場合、前記異物検出インジケータは、前記否定的な応答信号を含み、
前記無線電力送信機によって送信される前記電力信号の前記測定されたピーク周波数が前記閾値周波数以下である場合、前記異物検出インジケータは、前記肯定的な応答信号を含む、
請求項２２に記載の無線電力受信機。
【請求項２６】
前記閾値周波数は、前記基準ピーク周波数に基づいて前記無線電力送信機によって決定される、
請求項２５に記載の無線電力受信機。
【請求項２７】
前記無線電力送信機によって送信される電力信号の測定された品質因子が閾値品質因子以下である場合、前記異物検出インジケータは前記否定的な応答信号を含み、
前記無線電力送信機によって送信される前記電力信号の前記測定された品質因子が前記閾値品質因子よりも大きい場合、前記異物検出インジケータは前記肯定的な応答信号を含む、
請求項２２に記載の無線電力受信機。
【請求項２８】
前記閾値品質因子は、
前記基準品質因子に基づいて前記無線電力送信機によって決定される、
請求項２７に記載の無線電力受信機。
【請求項２９】
前記異物が前記充電領域に存在する場合、前記無線電力送信機によって送信される電力信号のピーク周波数が前記基準ピーク周波数からシフトされる、
請求項１８に記載の無線電力受信機。
【請求項３０】
前記基準ピーク周波数は、基準無線電力送信機の動作周波数範囲内のＱファクタに対応する周波数を含む、
請求項１８に記載の無線電力受信機。